【手続補正書】
【提出日】平成18年4月19日(2006.4.19)
【手続補正１】
【補正対象書類名】明細書
【補正対象項目名】特許請求の範囲
【補正方法】変更
【補正の内容】
【特許請求の範囲】
【請求項１】ネットワークを介して更新すべきソフトウェアを送信するソフトウェア更新処理装置であって、
前記ソフトウェアを特定する固有情報およびこのソフトウェアを記憶した日時に関する時刻情報とともに前記ソフトウェアを記憶する記憶手段と、
前記ネットワークを介して前記更新すべきソフトウェアを要求する旨の要求信号を取得する要求取得手段と、
前記要求信号に含まれる更新すべきソフトウェアを特定する固有情報の更新日情報が前記記憶手段に記憶された固有情報の時刻情報より新しい時期か否かを判断し、新しい時刻情報の固有情報に対応する前記ソフトウェアを前記更新すべきソフトウェアとして検出して送信させる検出手段と、
を具備したことを特徴としたソフトウェア更新処理装置。
【請求項２】ネットワークを介して更新すべきソフトウェアを送信するソフトウェア更新処理装置であって、
前記ソフトウェアを特定する固有情報およびこのソフトウェアを記憶した日時に関する時刻情報とともに前記ソフトウェアを記憶する記憶手段と、
前記ネットワークを介して前記更新すべきソフトウェアを要求する旨の要求信号を取得する要求取得手段と、
前記要求信号に含まれる更新すべきソフトウェアを特定する固有情報の更新日情報が前記記憶手段に記憶された固有情報の時刻情報が新しい時期か否かを判断し、新しい時刻情報の固有情報を検出すると、検出した固有情報を一覧表示可能に送信させる検出手段と、
を具備したことを特徴としたソフトウェア更新処理装置。
【請求項３】請求項２に記載のソフトウェア更新処理装置であって、
前記検出手段は、一覧表示可能に送信する固有情報を選択可能で選択によりその固有情報に対応するソフトウェアを送信させる処理をすることを特徴としたソフトウェア更新処理装置。
【請求項４】請求項１ないし請求項３のいずれかに記載のソフトウェア更新処理装置であって、
時刻を計時する計時手段を具備し、
前記検出手段が前記更新すべきソフトウェアを検出して送信するとともに、前記計時する時刻に関する時刻情報を送信することを特徴としたソフトウェア更新処理装置。
【請求項５】請求項１ないし請求項４のいずれかに記載のソフトウェア更新処理装置であって、
前記要求取得手段が取得する前記要求信号には、ファイル転送プロトコルであるＨＴＴＰ（ＨｙｐｅｒＴｅｘｔ  Ｔｒａｎｓｐｏｒｔ  Ｐｒｏｔｏｃｏｌ）を用い、前記ＨＴＴＰのリクエストヘッドにＩｆ−Ｍｏｄｉｆｉｅｄ−Ｓｉｎｃｅを付加することを特徴としたソフトウェア更新処理装置。
【請求項６】請求項１ないし請求項５のいずれかに記載のソフトウェア更新処理装置であって、
前記記憶手段は、更新するソフトウェアを更新履歴毎に前記固有情報および前記時刻情報とともに記憶するデータ構造で、前記更新するソフトウェアが前記記憶手段に記憶される際に、次に更新するソフトウェアを記憶させるための領域であって固有情報を有する空領域を設ける更新設定手段を具備したことを特徴としたソフトウェア更新処理装置。
【請求項７】請求項６に記載のソフトウェア更新処理装置であって、
前記更新設定手段は、新たな更新すべきソフトウェアを前記空領域に記憶させるとともに、この記憶した日時に関する時刻情報を前記空領域の固有情報に関連付けて記憶させ、新たな空領域を前記記憶手段に設けることを特徴としたソフトウェア更新処理装置。
【請求項８】ネットワークを介して更新すべきソフトウェアを受信するソフトウェア更新処理装置であって、
前記ソフトウェアを記憶する記憶手段と、
更新した日時に関する時刻情報および次に更新すべきソフトウェアを特定する固有情報を有し次に更新すべきソフトウェアを要求する旨の要求信号を生成し、この要求信号を送信させるソフトウェア要求手段と、前記要求信号の送信により送信される前記更新すべきソフトウェアを取得して動作可能に前記記憶手段に記憶させる更新処理をするソフトウェア更新手段と、
を具備したことを特徴としたソフトウェア更新処理装置。
【請求項９】ネットワークを介して更新すべきソフトウェアを受信するソフトウェア更新処理装置であって、
前記ソフトウェアを記憶する記憶手段と、
更新した日時に関する時刻情報および次に更新すべきソフトウェアを特定する固有情報を有し次に更新すべきソフトウェアを要求する旨の要求信号を生成し、この要求信号を送信させるソフトウェア要求手段と、
前記要求信号の送信により送信される前記更新すべきソフトウェアの固有情報を一覧表示可能に取得するソフトウェア更新手段と、
を具備したことを特徴としたソフトウェア更新処理装置。
【請求項１０】請求項９に記載のソフトウェア更新処理装置であって、
前記固有情報を一覧表示する表示手段と、
この表示手段に表示される固有情報のうちの少なくともいずれか１つを選択する入力手段と、を具備し、
前記ソフトウェア更新手段は、前記入力手段にて選択した固有情報に関するソフトウェアの送信要求をすることを特徴としたソフトウェア更新処理装置。
【請求項１１】請求項８ないし請求項１０のいずれかに記載のソフトウェア更新処理装置であって、
前記ソフトウェア要求手段は、要求信号の更新した日時に関する時刻情報として、送信された更新すべきソフトウェアとともに送信される時刻情報を用いることを特徴としたソフトウェア更新処理装置。
【請求項１２】請求項８ないし請求項１１のいずれかに記載のソフトウェア更新処理装置であって、
前記ソフトウェア要求手段は、次に更新すべきソフトウェアを特定する固有情報として、送信され更新すべきソフトウェアとともに送信される固有情報を用いることを特徴としたソフトウェア更新処理装置。
【請求項１３】請求項８ないし請求項１２のいずれかに記載のソフトウェア更新処理装置であって、
前記ソフトウェア要求手段は、ファイル転送プロトコルであるＨＴＴＰ（ＨｙｐｅｒＴｅｘｔ  Ｔｒａｎｓｐｏｒｔ  Ｐｒｏｔｏｃｏｌ）を用い、前記ＨＴＴＰのリクエストヘッドにＩｆ−Ｍｏｄｉｆｉｅｄ−Ｓｉｎｃｅを付加した前記要求信号を生成することを特徴としたソフトウェア更新処理装置。
【請求項１４】請求項８ないし請求項１３のいずれかに記載のソフトウェア更新処理装置であって、
前記ソフトウェア要求手段は、起動時に前記要求信号を送信させることを特徴としたソフトウェア更新処理装置。
【請求項１５】演算手段によりネットワークを介して更新すべきソフトウェアを送信するソフトウェア更新処理方法であって、
前記演算手段は、
前記ネットワークを介して前記更新すべきソフトウェアを要求する旨の要求信号を取得すると、
この要求信号に含まれる更新すべきソフトウェアを特定する固有情報の更新日情報に基づいて、記憶手段に前記ソフトウェアとともに記憶されこのソフトウェアを記憶した日時に関する時刻情報が新しい時期か否かを判断し、新しい時刻情報に対応し前記記憶手段に前記時刻情報とともに記憶され前記ソフトウェアを特定する固有情報を検出し、
この固有情報に対応する前記ソフトウェアを前記更新すべきソフトウェアとして送信させることを特徴とするソフトウェア更新処理方法。
【請求項１６】演算手段によりネットワークを介して更新すべきソフトウェアを送信するソフトウェア更新処理方法であって、
前記演算手段は、
前記ネットワークを介して前記更新すべきソフトウェアを要求する旨の要求信号を取得すると、
この要求信号に含まれる更新すべきソフトウェアを特定する固有情報の更新日情報に基づいて、記憶手段に前記ソフトウェアとともに記憶されこのソフトウェアを記憶した日時に関する時刻情報が新しい時期か否かを判断し、新しい時刻情報に対応し前記記憶手段に前記時刻情報とともに記憶され前記ソフトウェアを特定する固有情報を検出し、
この固有情報を一覧表示可能に送信させることを特徴とするソフトウェア更新処理方法。
【請求項１７】演算手段によりネットワークを介して更新すべきソフトウェアを受信するソフトウェア更新処理方法であって、
更新した日時に関する時刻情報および次に更新すべきソフトウェアを特定する固有情報を有し次に更新すべきソフトウェアを要求する旨の要求信号を生成して送信させ、
この要求信号の送信により送信される前記更新すべきソフトウェアを取得して動作可能に更新処理することを特徴としたソフトウェア更新処理方法。
【請求項１８】演算手段によりネットワークを介して更新すべきソフトウェアを受信するソフトウェア更新処理方法であって、
更新した日時に関する時刻情報および次に更新すべきソフトウェアを特定する固有情報を有し次に更新すべきソフトウェアを要求する旨の要求信号を生成して送信させ、
この要求信号の送信により送信される前記更新すべきソフトウェアの固有情報を一覧表示可能に取得することを特徴とするソフトウェア更新処理方法。
【請求項１９】演算手段によりサーバ装置からネットワークを介して更新すべきソフトウェアを端末装置で取得させて適宜更新させるソフトウェア更新処理方法であって、
前記演算手段は、
前記端末装置から前記ネットワークを介して前記更新すべきソフトウェアを要求する旨の要求信号を前記サーバ装置にて取得させ、
前記サーバ装置で前記要求信号に含まれる更新すべきソフトウェアを特定する固有情報の更新日情報に基づいて、前記サーバ装置の記憶手段に前記ソフトウェアとともに記憶されこのソフトウェアを記憶した日時に関する時刻情報が新しい時期か否かを判断させ、新しい時期の時刻情報に対応し前記記憶手段に前記時刻情報とともに記憶され前記ソフトウェアを特定する固有情報を検出させ、この固有情報に対応し前記記憶手段に記憶された前記ソフトウェアを前記更新すべきソフトウェアとして前記端末装置に送信させ、
前記端末装置で前記取得した更新すべきソフトウェアを動作可能に更新処理させることを特徴とするソフトウェア更新処理方法。
【請求項２０】演算手段によりサーバ装置からネットワークを介して更新すべきソフトウェアを端末装置で取得させて適宜更新させるソフトウェア更新処理方法であって、
前記演算手段は、
前記端末装置から前記ネットワークを介して前記更新すべきソフトウェアを要求する旨の要求信号を前記サーバ装置にて取得させ、
前記サーバ装置で前記要求信号に含まれる更新すべきソフトウェアを特定する固有情報の更新日情報に基づいて、前記サーバ装置の記憶手段に前記ソフトウェアとともに記憶されこのソフトウェアを記憶した日時に関する時刻情報が新しい時期か否かを判断させ、新しい時期の時刻情報に対応し前記記憶手段に前記時刻情報とともに記憶され前記ソフトウェアを特定する固有情報を検出させ、この固有情報を一覧表示可能に前記端末装置に送信させ、
前記端末装置で前記固有情報を少なくともいずれか１つを選択して前記サーバ装置に要求可能に一覧表示させることを特徴とするソフトウェア更新処理方法。
【請求項２１】請求項１５ないし請求項２０のいずれかに記載のソフトウェア更新処理方法を演算手段に実行させることを特徴としたソフトウェア更新処理プログラム。
【手続補正２】
【補正対象書類名】明細書
【補正対象項目名】００１５
【補正方法】削除
【補正の内容】
【手続補正３】
【補正対象書類名】明細書
【補正対象項目名】００１６
【補正方法】削除
【補正の内容】
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】削除
【補正の内容】
【手続補正６】
【補正対象書類名】明細書
【補正対象項目名】００１９
【補正方法】削除
【補正の内容】
【手続補正７】
【補正対象書類名】明細書
【補正対象項目名】００２０
【補正方法】変更
【補正の内容】
【００２０】
請求項１５に記載の発明は、演算手段によりネットワークを介して更新すべきソフトウェアを送信するソフトウェア更新処理方法であって、前記演算手段は、前記ネットワークを介して前記更新すべきソフトウェアを要求する旨の要求信号を取得すると、この要求信号に含まれる更新すべきソフトウェアを特定する固有情報の更新日情報に基づいて、記憶手段に前記ソフトウェアとともに記憶されこのソフトウェアを記憶した日時に関する時刻情報が新しい時期か否かを判断し、新しい時刻情報に対応し前記記憶手段に前記時刻情報とともに記憶され前記ソフトウェアを特定する固有情報を検出し、この固有情報に対応する前記ソフトウェアを前記更新すべきソフトウェアとして送信させることを特徴とするソフトウェア更新処理方法である。
【手続補正８】
【補正対象書類名】明細書
【補正対象項目名】００２１
【補正方法】変更
【補正の内容】
【００２１】
請求項１６に記載の発明は、演算手段によりネットワークを介して更新すべきソフトウェアを送信するソフトウェア更新処理方法であって、前記演算手段は、前記ネットワークを介して前記更新すべきソフトウェアを要求する旨の要求信号を取得すると、この要求信号に含まれる更新すべきソフトウェアを特定する固有情報の更新日情報に基づいて、記憶手段に前記ソフトウェアとともに記憶されこのソフトウェアを記憶した日時に関する時刻情報が新しい時期か否かを判断し、新しい時刻情報に対応し前記記憶手段に前記時刻情報とともに記憶され前記ソフトウェアを特定する固有情報を検出し、この固有情報を一覧表示可能に送信させることを特徴とするソフトウェア更新処理方法である。
【手続補正９】
【補正対象書類名】明細書
【補正対象項目名】００２２
【補正方法】変更
【補正の内容】
【００２２】
請求項１７に記載の発明は、演算手段によりネットワークを介して更新すべきソフトウェアを受信するソフトウェア更新処理方法であって、更新した日時に関する時刻情報および次に更新すべきソフトウェアを特定する固有情報を有し次に更新すべきソフトウェアを要求する旨の要求信号を生成して送信させ、この要求信号の送信により送信される前記更新すべきソフトウェアを取得して動作可能に更新処理することを特徴としたソフトウェア更新処理方法である。
【手続補正１０】
【補正対象書類名】明細書
【補正対象項目名】００２３
【補正方法】変更
【補正の内容】
【００２３】
請求項１８に記載の発明は、演算手段によりネットワークを介して更新すべきソフトウェアを受信するソフトウェア更新処理方法であって、更新した日時に関する時刻情報および次に更新すべきソフトウェアを特定する固有情報を有し次に更新すべきソフトウェアを要求する旨の要求信号を生成して送信させ、この要求信号の送信により送信される前記更新すべきソフトウェアの固有情報を一覧表示可能に取得することを特徴とするソフトウェア更新処理方法である。
【手続補正１１】
【補正対象書類名】明細書
【補正対象項目名】００２４
【補正方法】変更
【補正の内容】
【００２４】
請求項１９に記載の発明は、演算手段によりサーバ装置からネットワークを介して更新すべきソフトウェアを端末装置で取得させて適宜更新させるソフトウェア更新処理方法であって、前記演算手段は、前記端末装置から前記ネットワークを介して前記更新すべきソフトウェアを要求する旨の要求信号を前記サーバ装置にて取得させ、前記サーバ装置で前記要求信号に含まれる更新すべきソフトウェアを特定する固有情報の更新日情報に基づいて、前記サーバ装置の記憶手段に前記ソフトウェアとともに記憶されこのソフトウェアを記憶した日時に関する時刻情報が新しい時期か否かを判断させ、新しい時期の時刻情報に対応し前記記憶手段に前記時刻情報とともに記憶され前記ソフトウェアを特定する固有情報を検出させ、この固有情報に対応し前記記憶手段に記憶された前記ソフトウェアを前記更新すべきソフトウェアとして前記端末装置に送信させ、前記端末装置で前記取得した更新すべきソフトウェアを動作可能に更新処理させることを特徴とするソフトウェア更新処理方法である。
【手続補正１２】
【補正対象書類名】明細書
【補正対象項目名】００２５
【補正方法】変更
【補正の内容】
【００２５】
請求項２０に記載の発明は、演算手段によりサーバ装置からネットワークを介して更新すべきソフトウェアを端末装置で取得させて適宜更新させるソフトウェア更新処理方法であって、前記演算手段は、前記端末装置から前記ネットワークを介して前記更新すべきソフトウェアを要求する旨の要求信号を前記サーバ装置にて取得させ、前記サーバ装置で前記要求信号に含まれる更新すべきソフトウェアを特定する固有情報の更新日情報に基づいて、前記サーバ装置の記憶手段に前記ソフトウェアとともに記憶されこのソフトウェアを記憶した日時に関する時刻情報が新しい時期か否かを判断させ、新しい時期の時刻情報に対応し前記記憶手段に前記時刻情報とともに記憶され前記ソフトウェアを特定する固有情報を検出させ、この固有情報を一覧表示可能に前記端末装置に送信させ、前記端末装置で前記固有情報を少なくともいずれか１つを選択して前記サーバ装置に要求可能に一覧表示させることを特徴とするソフトウェア更新処理方法である。
【手続補正１３】
【補正対象書類名】明細書
【補正対象項目名】００２６
【補正方法】変更
【補正の内容】
【００２６】
請求項２１に記載の発明は、請求項１５ないし請求項２０のいずれかに記載のソフトウェア更新処理方法を演算手段に実行させることを特徴としたソフトウェア更新処理プログラムである。
【手続補正１４】
【補正対象書類名】明細書
【補正対象項目名】００２７
【補正方法】削除
【補正の内容】